(57)【特許請求の範囲】
【請求項１】
フォーカスセンサからの合焦信号を受けて撮像部のフォーカシングレンズを合焦位置に移動させるための信号電圧を出力する制御端子部を有するモータ駆動部と、
前記撮像部の映像端子部に接続されたモニタ装置と、
このモニタ装置から出力される画像信号を受けて画像を表示する表示部と、
前記制御端子部から出力される前記信号電圧を検出し、その検出信号を制御信号として出力する信号検出部と、
この信号検出部から出力される前記制御信号を受けて前記モニタ装置をオン動作させ前記表示部に画像表示を行わせる一方、前記制御信号が入力されなくなった時点で内蔵タイマによる一定時間のカウントを開始し、予め設定した一定時間が経過すると前記モニタ装置をオフ動作させて前記表示部への画像の映し出しを停止させるとともに、この時点で前記信号検出部から前記制御信号を受けている場合には前記モニタ装置を再びオン動作させて上記の処理を繰り返す制御手段とを備えたことを特徴とする監視システム。
【請求項２】
前記表示部が、ブラウン管式のモニターまたは液晶表示装置であることを特徴とする請求項１に記載の監視システム。
【発明の詳細な説明】
【０００１】
【発明の属する技術分野】
本発明は、屋内外に設置されるテレビカメラで撮像した人や車両の撮像画像をモニタ装置の画面に表示して監視を行う撮像装置及びその撮像装置を備えた監視システムに関する。
【０００２】
【従来の技術】
ビルディング等の建物内に複数台のテレビカメラを設置して人の侵入を監視する監視システムの一例として、防犯カメラ装置が提案されている（特公平８−３１１９５号公報参照）。
この防犯カメラ装置は、建物内に設置した複数台のテレビカメラからの撮像信号を所定期間毎に順次切換えて送出する制御手段と、テレビカメラの撮像焦点の変化を検出する焦点移動検出手段とを備えている。また、各テレビカメラには、焦点調整部および測距回路を内蔵している。
このように構成された防犯カメラ装置は、各テレビカメラから被写体に向けて赤外線または超音波を送受信することにより、被写体とカメラとの距離を求める。また、自動焦点調整回路により合焦点位置を検出し、かつ、レンズ系を駆動することによって被写体の焦点を合わせる。
そして、この合焦点動作を開始させてから、カメラの撮像範囲内にそれまで存在しなかった物や人が入ってくると、前記焦点位置検出手段がテレビカメラの撮像焦点の変化を検出する。
すると、制御手段が、撮像信号の順次切換え動作を停止させ、その焦点の変化したテレビカメラの撮像映像のみをモニタ装置を構成するＣＲＴの画面に映し出して集中監視する。よって、管理人の監視に頼らなくても人の侵入が即座にわかるというものである。
【０００３】
【発明が解決しようとする課題】
ところで、上記従来の防犯カメラ装置は、撮像焦点の変化が検出されたテレビカメラのみの撮像映像を集中監視するのであるが、撮像焦点の変化が検出されない間もＣＲＴの画面には何らかの画像を映し続けている。
このように撮像対象が何ら変化しない期間も消費電力の大きいＣＲＴで画像を表示させ続けると、電源が投入されてから一度も電力供給を停止しないので、この電力の浪費が著しく無駄が生じていた。
また、テレビカメラからの画像信号をＶＴＲ（ビデオテープレコーダ）により磁気テープに記録するような場合、撮像対象が何ら変化しない間も記録し続けるようなことがあると、この磁気テープの使用量が膨大なものとなり、記憶媒体としてのテープの浪費は勿論、再生に伴う時間の浪費に繋がり、機器各部の劣化も早められるといった問題があった。
【０００４】
本発明は、上記課題に鑑みて創案されたもので、フォーカシングレンズを合焦位置に移動させる合焦信号を受けて、撮像対象に変化がないときに表示手段の画像表示を停止させて電力消費を節減したり、記録手段の信号記録を停止させて記録媒体の浪費を軽減し得る表示装置を提供することを目的としている。
【０００５】
【課題を解決するための手段】
上記目的を達成するため、本発明のうち請求項１に記載の発明は、フォーカスセンサからの合焦信号を受けて撮像部のフォーカシングレンズを合焦位置に移動させるための信号電圧を出力する制御端子部を有するモータ駆動部と、前記撮像部の映像端子部に接続されたモニタ装置と、このモニタ装置から出力される画像信号を受けて画像を表示する表示部と、前記制御端子部から出力される前記信号電圧を検出し、その検出信号を制御信号として出力する信号検出部と、この信号検出部から出力される前記制御信号を受けて前記モニタ装置をオン動作させ前記表示部に画像表示を行わせる一方、前記制御信号が入力されなくなった時点で内蔵タイマによる一定時間のカウントを開始し、予め設定した一定時間が経過すると前記モニタ装置をオフ動作させて前記表示部への画像の映し出しを停止させるとともに、この時点で前記信号検出部から前記制御信号を受けている場合には前記モニタ装置を再びオン動作させて上記の処理を繰り返す制御手段とを備えたことを特徴としている。
【０００６】
また、請求項２に記載の発明は、前記表示部が、ブラウン管式のモニターまたは液晶表示装置であることを特徴としている。
【０００７】
【発明の実施の形態】
以下、本発明の実施の形態について、図示例を参照しながら説明する。図１は、本発明に係る撮像装置の概要構成を示す電気的ブロック線図、図２は、同撮像装置の制御手段を示す説明図、図３は、同撮像装置を備えた監視システムを示す電気的ブロック線図、図４は、画像表示の動作を説明するためのフローチャートである。
【０００８】
この監視システム１は、撮像装置２であるテレビカメラを建物内に複数台設置して人の監視を行う防犯カメラ装置であり、カメラ制御部３、信号切換部４、モーター制御信号検出回路（以下、信号検出回路と略称する）５および制御部９を内蔵したモニタ装置８等を備えて構成されている。
テレビカメラ２は、従来周知のビデオカメラを用いており、本例では２Ａ〜２Ｄの４台を建物の各所に配置している。このテレビカメラ２は、本体ケースに内蔵した撮像レンズ１０の先端側にフォーカシングレンズ１１を設けている。
このフォーカシングレンズ１１は、モーター１５および駆動機構１６により光軸方向に移動し、焦点位置を変化させるようになっている。また、モーター１５は、モーター駆動部１４からの制御信号により正逆回転し、ギヤからなる駆動機構１６を回動して、フォーカシングレンズ１１を進退動させる。
【０００９】
前記モーター駆動部１４は、図示省略しているが信号変換部と、１つの入力ポート１４ａおよび２つの出力ポート１４ｂ，１４ｃ等を備えており、カメラ制御部３からの指令信号によって動作し、モーター１５の回転を制御する信号を出力するようになっている。
すなわち、モーター駆動部１４の入力ポート１４ａには、フォーカスセンサ１３からの出力信号が導かれている。このフォーカスセンサ１３は、合焦信号を出力するもので、図示しない光電変換部からの信号が導かれている。
このフォーカスセンサ１３は、撮像レンズ１１内のビームスプリッター１２で分割された被写体像の光束が入光すると、デフォーカス量（像面変移量）を演算し、撮像焦点に合焦させる信号をモーター駆動部１４の入力ポート１４ａに供給する。
【００１０】
このモーター駆動部１４は、合焦信号を受けて撮像焦点にフォーカシングレンズ１１を移動させるための信号電圧（“Ｈ”および“Ｌ”レベル）を発生し、制御信号として２つの出力ポート１４ｂ，１４ｃ（制御端子部）にそれぞれ接続されたモーター１５および信号検出回路５に供給する。
モーター１５は、出力ポート１４ｂから出力されるＨレベルまたはＬレベルの制御信号を受けて、正回転（右回転）または逆回転（左回転）する構成になっている。
また、信号検出回路５は、出力ポート１４ｃに現れるＨレベルまたはＬレベルを検出し、その検出信号をオン・オフの制御信号としてモニタ装置８の制御部９側に送出するようになっている。
【００１１】
このモニタ装置８は、制御部９、音声信号処理部および映像信号処理部等で構成されており、この映像信号処理部にＣＲＴ７が接続されていて、テレビカメラ２Ａ〜２Ｄの撮像をＣＲＴ７の画面に映し出すようになっている。なお、このＣＲＴ７の代わりにＬＣＤ画面を備えた液晶表示装置を採用してもよい。
制御部９は、装置全体の動作を制御するもので、ＣＰＵ、ＲＯＭおよびＲＡＭからなり、その入力ポート９ａと出力ポート９ｂとには、キー入力部６、前記カメラ制御部３、信号切換部４、ＣＲＴ７および映像信号処理部等が各機能に応じて一方向または双方向性に接続されている。
また、カメラ制御部３は、４台のテレビカメラ２Ａ〜２Ｄにそれぞれ接続されるとともに、制御部９の出力が接続されており、この制御部９からの選択指令信号を受けて、各テレビカメラ２Ａ〜２Ｄをオン・オフ動作させる指令信号を出力する。
【００１２】
信号切換部４は、第１〜第４の固定接点４ａ〜４ｄと可動接点４ｅとからなり、第１テレビカメラ２Ａの映像端子部２ａに第１固定接点４ａが、第２テレビカメラ２Ｂの映像端子部２ａに第２固定接点４ｂが、第３テレビカメラ２Ｃの映像端子部２ａに第３固定接点４ｃが、第４テレビカメラ２Ｄの映像端子部２ａに第４固定接点４ｄが、それぞれ接続されている。
また、可動接点４ｅには、モニタ装置８の映像信号処理部が接続されており、前記制御部９からの切換信号が導かれている。
このように接続された信号切換部４は、切換信号により可動接点４ｅが第１〜第４固定接点４ａ〜４ｄの何れかに切換接続され、第１〜第４のテレビカメラ２Ａ〜２Ｄの映像端子部２ａから送出されてくる撮像信号を映像信号処理部側に伝送する。
この映像信号処理部は、テレビカメラ２からの撮像信号を受けてＣＲＴ７の画面に撮像画像を表示させる信号処理を行う構成になっている。
【００１３】
次に、上記撮像装置を備えた監視システムの画像表示動作について説明する。
オペレーターが、キー入力部６でオン操作を行うと、この操作信号を受けて制御部９はカメラ制御部３および信号切換部４に指令信号を送出する。
カメラ制御部３は、指令信号に基づいて各テレビカメラ２Ａ〜２Ｄに電圧を供給し、それぞれをオン動作させる。これに伴って、全テレビカメラ２Ａ〜２Ｄの撮像が開始され、その撮像信号が信号切換部４に送出されてくる。
この信号切換部４は、予め設定した所要の時間間隔で４つの固定接点４ａ〜４ｄに可動接点４ｅを切り換え接続し、テレビカメラ２Ａ〜２Ｄから送出されてくる撮像信号を順次切換えて映像信号処理部および制御部９側に送出する。
これに伴って、制御部９はモニタ装置８をオン動作させ、ＣＲＴ７の画面に各テレビカメラ２Ａ〜２Ｄで撮像された画像を順次映し出させる。
【００１４】
このような撮像および画像の表示が開始された後、何れのテレビカメラ２Ａ〜２Ｄにもその撮像範囲内に物や人が入ってこないときは、各テレビカメラ２Ａ〜２Ｄのフォーカスセンサ１３に入るデフォーカス量も変化しない。
よって、フォーカスセンサ１３からモーター駆動部１４に合焦信号が送出されないので、モーター１５は回転せず、また、信号検出回路５より制御信号が出力されない。
この制御信号が入力しないときは、制御部９が予め設定した時間内でモニタ装置８をオフ動作させ、ＣＲＴ７の画面に画像を映し出すのを停止させる。これにより、撮像および画像表示の開始後、撮像対象に何ら変化がないときは、モニタ装置８およびＣＲＴ７が稼働しないから、電力消費を節減することができる。
【００１５】
このような待機中、制御部９はオートフォーカス動作が開始されたか否かを判断し続ける（ステップＳ１１）。
ここで、何れかのテレビカメラ２Ａ〜２Ｄの撮像範囲内にそれまで存在しなかった物や人が入ってくると、そのテレビカメラのフォーカスセンサ１３に入るデフォーカス量が変化する。このフォーカスセンサ１３は、デフォーカス量の変化に応じて合焦信号をモーター駆動部１４に送出する。
このモーター駆動部１４は、合焦信号に基づいてモーター１５を正回転（右回転）または逆回転（左回転）させる制御信号を出力する。
出力ポート１４ｂ，１４ｃから合焦信号の変化を示す制御信号が出力されると、この制御部信号を受ける制御部９はモニタ装置８をオン動作させ、ＣＲＴ７の画面にテレビカメラの何れかで撮像された画像を映し出させる（ステップＳ１２）。
【００１６】
また、制御部信号を受けてモーター１５が回転し駆動機構１６が連動するために、フォーカシングレンズ１１が撮像焦点に移動する。そして、合焦点位置でフォーカシングレンズ１１が移動を停止すると、このときの撮像信号がモニタ装置８に送出されて、ＣＲＴ７の画面にはクリアな画像が映し出される。
この画像表示中、制御部９はオートフォーカス動作を判断し続ける（ステップＳ１３）。そして、制御信号が入力しなくなった時点で内蔵タイマによる時間カウントを開始し、予め設定した一定時間が経過したか否かを判断する（ステップＳ１４）。
ここで、警備上の問題が解消される等によって物や人が存在しなくなり、一定時間が経過すると、制御部９はモニタ装置８をオフ動作させ、ＣＲＴ７の画面に画像を映し出すのを停止させる。
これにより、画像表示がなされてからも、撮像対象に何ら変化がないときは、モニタ装置８およびＣＲＴ７が連続的に稼働しないから、その分だけ電力消費が節減される。
【００１７】
なお、上記実施の形態においては、モニタ装置８のＣＲＴ７に撮像画像を表示する場合について説明したが、前記制御部９にＶＴＲを接続してカセットの磁気テープに画像信号を記録させることも可能である。
この際は、前記映像端子部２ｂに切換接続される可動接点４ｅにＶＴＲの画像信号入力端子を接続し、制御部９における出力ポート９ｂの制御端子部にＶＴＲの制御信号入力端子をそれぞれ接続する。
このようにＶＴＲを接続する場合は、このＶＴＲの制御部を自動記録モードに設定しておく。すなわち、この制御部は、前記フォーカシングレンズ１１の移動により制御信号が入力したときに、カセットの磁気テープに画像信号を記録させる一方、制御信号が入力しないときは、画像信号の記録を停止させる制御を行う構成とする。
【００１８】
これにより、テレビカメラ２Ａ〜２Ｄの撮像中において、物や人の移動がなく撮像対象が変化しないときは磁気テープに画像信号を記録しないから、磁気テープが無駄に使用されるのを防止できる。また、磁気テープの再生時に時間を浪費することもなくなる。
なお、上記実施の形態においては、テレビカメラ２にビデオカメラを採用し、映像の表示とともに、音声をも放音し得るようにしたが、テレビカメラに変えてディジタルカメラを設置する構成としてもよい。
この種のディジタルカメラは、撮像した画像をディジタルの画像信号として出力するものであり、情報をメモリに保持して幅広く利用できる記録装置であるから、前記ＶＴＲのように記録・再生に伴う浪費を軽減できる。
また、内蔵バッテリにより動作させるハンディタイプのビデオカメラ等も、オートフォーカス動作の判断により撮像、画像表示および画像記録を自動的に停止、再開できるのでバッテリおよび磁気テープの浪費を低減し得るものである。
【００１９】
【発明の効果】
以上説明したように、本発明のうち請求項1に記載の監視システムによれば、信号検出部から出力される制御信号を受けてモニタ装置をオン動作させ表示部に画像表示を行わせる一方、制御信号が入力されなくなった時点で内蔵タイマによる一定時間のカウントを開始し、予め設定した一定時間が経過するとモニタ装置をオフ動作させて表示部への画像の映し出しを停止させるとともに、この時点で信号検出部から制御信号を受けている場合にはモニタ装置を再びオン動作させて上記の処理を繰り返す構成としたので、監視対象の変化しない間は表示部に画像表示がなされないから、常に画像表示を行う場合のような電力の浪費が大幅に低減されるとともに、機器各部の劣化が軽減される効果がある。
【００２０】
また、請求項２に記載の監視システムによれば、前記表示部をブラウン管式のモニターとしたときには、消費電力の大きい表示部を必要なときだけ利用し電力の浪費を大幅に低減し得る利点がある。前記表示部を液晶表示装置としたときには、電力の浪費を大幅に低減できるとともに、液晶の劣化を軽減して長寿命に保ち得る利点がある。
【図面の簡単な説明】
【図１】本発明に係る撮像装置の概要構成を示す電気的ブロック線図である。
【図２】同撮像装置の制御手段を示す説明図である。
【図３】同撮像装置を備えた監視システムを示す電気的ブロック線図である。
【図４】画像表示の動作を説明するためのフローチャートである。
【符号の説明】
２ａ  映像端子部
１１  フォーカシングレンズ
１４ｃ  制御端子部
【図１】
0003697683.tif 000002
【図２】
0003697683.tif 000003
【図３】
0003697683.tif 000004
【図４】
0003697683.tif 000005